(57)【要約】【課題】電線の保持力の向上と解除操作時の操作力の低減とを両立する。【解決手段】端子板４１の鎖錠片４４には、電線を接触部４３ａの方へ押圧するとともに電線の一部に食い込んで抜け止めする鎖錠部４４ａと、鎖錠部４４ａよりも接触片４３に近づく向きに突出する受け部４４ｃとが先端に並設される。而して、受け部４４ｃを鎖錠片４４の先端から鎖錠部４４ａよりも先方へ突出させて設けているから、鎖錠部４４ａによる電線１０１の保持力を維持したまま解除釦６０により鎖錠片４４を撓ませるのに必要な操作力が低減でき、電線１０１の保持力の向上と解除操作時の操作力の低減を両立することが可能である。【選択図】        図１
2004319391.tif 000002
【特許請求の範囲】
【請求項１】
配線器具の器体に貫設した電線挿入孔を通して器体に導入される電線に接触する端子板と、ばね力を利用して該端子板との間で前記電線を狭持するとともに鎖錠部が該電線に食い込んで抜け止めする接続手段と、該接続手段による抜け止め状態を解除する解除手段とを備え、前記接続手段は、弾性を有する金属板からなる鎖錠片と、該鎖錠片の先端に設けられる前記鎖錠部と、前記鎖錠片の先端に設けられて前記鎖錠部よりも先方へ突出する受け部とを有し、前記解除手段は、前記受け部を押し動かして前記鎖錠部が電線から離れる向きに前記鎖錠片を撓ませることを特徴とする速結端子装置。
【請求項２】
複数の前記端子板並びに前記接続手段が弾性を有する金属板により一体に形成されたことを特徴とする請求項１記載の速結端子装置。
【請求項３】
前記接続手段は、前記鎖錠片との間で電線を狭持する接触片を有し、電線の挿入方向に直交する方向における前記鎖錠片の幅よりも前記接触片の幅が狭くされたことを特徴とする請求項１又は２記載の速結端子装置。
【請求項４】
前記受け部は、先端が前記接触片よりも外側に突出しない寸法に形成されたことを特徴とする請求項１又は２又は３記載の速結端子装置。
【請求項５】
前記複数の接続手段の各受け部が隣接して設けられるとともに他方の受け部に向かって突片が延設されたことを特徴とする請求項２記載の速結端子装置。
【請求項６】
前記受け部と前記鎖錠片との連結部位が該受け部の他の部位よりも幅狭に形成されたことを特徴とする請求項１記載の速結端子装置。
【請求項７】
前記受け部の厚みが鎖錠片の厚みよりも小さく設定されたことを特徴とする請求項１記載の速結端子装置。
【発明の詳細な説明】
【０００１】
【発明の属する技術分野】
本発明は、スイッチやコンセントのような配線器具の器体に収納されて電線を接続する速結端子装置に関するものである。
【０００２】
【従来の技術】
従来から、スイッチやコンセントのような配線器具において、器体に設けた電線挿入孔を通して器体に導入された電線を接続するために速結端子が広く用いられている。この種の速結端子としては、図１９に示すように、器体２００に収納され電線挿入孔２０１を通して器体２００に導入された電線１０１に接触する端子板２０２と、端子板２０２との間で電線を挟持する鎖錠ばね２０３とを備えるものが知られている（例えば、特許文献１参照）。鎖錠ばね２０３は板ばねであって、鎖錠ばね２０３に設けた接触片２０３ａおよび鎖錠片２０３ｂと端子板２０２との間に電線１０１を挟持することによって電線１０１を保持するように形成されている。つまり、器体２００に設けた電線挿入孔２０１を通して電線１０１を器体２００に導入すると、電線１０１が接触片２０３ａおよび鎖錠片２０３ｂを端子板２０２から引き離す向きに撓ませ、接触片２０３ａおよび鎖錠片２０３ｂに生じるばね力によって電線１０１が端子板２０２と鎖錠片２０３ｂとの間に挟持されるように構成されている。ここに、電線１０１が端子板２０２と接触片２０３ａおよび鎖錠片２０３ｂとの間に挟持された状態では、接触片２０３ａおよび鎖錠片２０３ｂの端縁が電線１０１に弾接し、電線１０１の一部に鎖錠片２０３ｂが食い込むことによって電線１０１の抜け止めがなされる。このように、電線１０１を電線挿入孔２０１に挿入するだけで端子板２０２に電線１０１が接触した状態で保持されるから、端子ねじを用いて電線１０１を接続する構造に比較すると電線１０１の結線作業が容易になる。
【０００３】
ここで、図２０に示すように器体２００の後壁には操作孔２０４が貫設され、この操作孔２０４の奥側における器体２００の内部に解除釦２０５が収納配置される。図２１に示すように、解除釦２０５は鎖錠ばね２０３の横に配置され、鎖錠ばね２０３の鎖錠片２０３ｂの後面側に当接する押し片２０５ａが側面から突出する形状を有する。操作孔２０４はマイナスドライバの先端部のような工具２１０が挿入可能となる形状を有し、工具２１０を操作孔２０４に挿入して解除釦２０５を前方に押圧すると、鎖錠片２０３ｂが押し片２０５ａから押圧力を受けることにより電線１０１から離れる向きに撓むようにしてある。したがって、電線１０１を接続した状態で操作孔２０４に工具を挿入して解除釦２０５を押圧すれば、鎖錠片２０３ｂが電線１０１から離れるように撓んで電線１０１の機械的保持が解除され、電線１０１を器体２００から引き抜くことが可能になる。
【０００４】
【特許文献１】
特開平１１−１８５９０５号公報（段落００１４、図１）
【０００５】
【発明が解決しようとする課題】
ところで上述のような従来の速結端子装置では、鎖錠片２０３ｂの長さが短いほど大きな反力が得られて電線１０１の保持力が大きくなるが、解除釦２０５により鎖錠片２０３ｂを撓ませる力が大きくなり、反対に鎖錠片２０３ｂの長さが長いほど解除釦２０５により鎖錠片２０３ｂを撓ませる力が小さくて済むが、鎖錠片２０３ｂの反力が小さくなって電線１０１の保持力が小さくなってしまうため、電線の保持力の向上と解除操作時の操作力の低減を両立することが困難であった。
【０００６】
本発明は上記事情に鑑みて為されたものであり、その目的は、電線の保持力の向上と解除操作時の操作力の低減を両立することが可能な速結端子装置を提供することにある。
【０００７】
【課題を解決するための手段】
請求項１の発明は、上記目的を達成するために、配線器具の器体に貫設した電線挿入孔を通して器体に導入される電線に接触する端子板と、ばね力を利用して該端子板との間で前記電線を狭持するとともに鎖錠部が該電線に食い込んで抜け止めする接続手段と、該接続手段による抜け止め状態を解除する解除手段とを備え、前記接続手段は、弾性を有する金属板からなる鎖錠片と、該鎖錠片の先端に設けられる前記鎖錠部と、前記鎖錠片の先端に設けられて前記鎖錠部よりも先方へ突出する受け部とを有し、前記解除手段は、前記受け部を押し動かして前記鎖錠部が電線から離れる向きに前記鎖錠片を撓ませることを特徴とする。
【０００８】
請求項２の発明は、請求項１の発明において、複数の前記端子板並びに前記接続手段が弾性を有する金属板により一体に形成されたことを特徴とする。
【０００９】
請求項３の発明は、請求項１又は２の発明において、前記接続手段は、前記鎖錠片との間で電線を狭持する接触片を有し、電線の挿入方向に直交する方向における前記鎖錠片の幅よりも前記接触片の幅が狭くされたことを特徴とする。
【００１０】
請求項４の発明は、請求項１又は２又は３の発明において、前記受け部は、先端が前記接触片よりも外側に突出しない寸法に形成されたことを特徴とする。
【００１１】
請求項５の発明は、請求項２の発明において、前記複数の接続手段の各受け部が隣接して設けられるとともに他方の受け部に向かって突片が延設されたことを特徴とする。
【００１２】
請求項６の発明は、請求項１の発明において、前記受け部と前記鎖錠片との連結部位が該受け部の他の部位よりも幅狭に形成されたことを特徴とする。
【００１３】
請求項７の発明は、請求項１の発明において、前記受け部の厚みが鎖錠片の厚みよりも小さく設定されたことを特徴とする。
【００１４】
【発明の実施の形態】
以下、本発明に係る速結端子装置をコンセントの端子部に適用した実施形態について図面を参照して詳細に説明する。但し、配線器具はコンセントに限定されるものではなく、例えばスイッチなどのコンセント以外の配線器具にも本発明の技術思想が適用可能であることは言うまでもない。
【００１５】
（実施形態１）
図１〜図３に示すように、器体１は耐トラッキング性に優れた熱硬化性合成樹脂を用いて前面が開放された直方体状に形成されたボディ１０と、同じく耐トラッキング性に優れた熱硬化性合成樹脂を用いて後面が開放された直方体状に形成されたカバー２０とを結合することにより形成される。
【００１６】
ボディ１０は長手方向の中間部に設けた一対の仕切壁１２により内部空間が２分されている。また、図５に示すようにカバー２０内にも仕切壁２０ａが形成され、ボディ１０とカバー２０とを結合するとボディ１０の一対の仕切壁１２の間にカバー２０の仕切壁２０ａが嵌合されることによって器体１の内部空間が独立した２室に分割される。
【００１７】
ボディ１０内において仕切壁１２を介して形成された各収納室１３には、プラグの栓刃を受ける刃受３１がそれぞれ収納される。各刃受３１は、図７に示すように互いに対向する先端部にて栓刃を挟持する一対の刃受ばね３２と、両刃受ばね３２の一方の側面同士を連続一体に結合するコ字状の連結片３４と、連結片３４より突出し両刃受ばね３２の前記側面に対向する刃受ばね３３とを備える。また、連結片３４には円筒形の４つの突起３４ａが列設されており、各一対の突起３４ａにそれぞれ後述する端子板４１がかしめ固定される。
【００１８】
端子部４０は、端子板４１並びに解除釦６０で構成される。端子板４１は、図８（ａ）に示すように略Ｌ字形の主片４２と、主片４２の幅細の一端側から後方（図８（ｂ）における下方、以下同じ）へ垂下された接触片４３と、主片４２の幅太の他端側から後方へ垂下された略Ｊ字形の鎖錠片４４と、鎖錠片４４の側端縁から側方へ突出する固定片４５とを有し、弾性を有する帯状の金属板を加工して接触片４３の先端部と鎖錠片４４の先端部が交差するように折り曲げて一体に形成される。接触片４３にはほぼ平坦な面を有して電線に弾接する接触部４３ａと、電線の挿入方向に沿った接触部４３ａの両側において電線を押圧する一対の押圧部４３ｂ，４３ｃが設けられている。また、接触片４３に対して内側に位置する鎖錠片４４には、電線を接触部４３ａの方へ押圧するとともに電線の一部に食い込んで抜け止めする鎖錠部４４ａと、鎖錠部４４ａよりも接触片４３に近づく向きに突出する受け部４４ｃとが先端に並設され、鎖錠部４４ａよりも後方の部位に電線（接触片４３）から離れる向きに凸となる曲げ部４４ｂが設けられている。なお、図８（ｃ）に示すように鎖錠部４４ａが接触片４３に対向するとともに受け部４４ｃが接触片４３と対向しないように接触片４３の幅寸法が鎖錠片４４の幅寸法のおよそ半分に設定されている。さらに、固定片４５には刃受３１の連結片３４に列設されている一対の突起３４ａが挿通される挿通孔４５ａが貫設されており、これら一対の挿通孔４５ａに挿通した突起３４ａをかしめることで刃受３１の連結片３４に固定片４５が固定される。そして、一対の刃受ばね３２とそれぞれ隣り合うように連結片３４に固定された一対の端子板４１と刃受３１からなる刃受ブロック３０がボディ１０の各収納室１３に収納される。
【００１９】
ボディ１０の各収納室１３の底壁には接触片４３と鎖錠片４４の間に電線を導入することができるように一対の電線挿入孔１１が貫設されている。図１０に示すように、この電線挿入孔１１を通して接触片４３と鎖錠片４４の間に電線１０１を挿入すると、鎖錠片４４の鎖錠部４４ａが電線１０１に食い込むことによって電線１０１が抜け止めされるとともに鎖錠片４４のばね力によって電線１０１が接触片４３の接触部４３ａに弾接し、さらに電線１０１は一対の押圧部４３ｂ，４３ｃによって鎖錠片４４の方へ押圧され、鎖錠部４４ａと一対の押圧部４３ｂ，４３ｃの押圧力が均衡して電線１０１が狭持される。但し、主片４２に近い方の押圧部４３ｃは電線１０１と当接する面を面取りして接触面積を増やしている。
【００２０】
ところで、従来例における速結端子は端子板２０２ａと鎖錠ばね２０３で構成されており、端子板２０２ａがばね性を有しない金属材料で形成されていた。このため、図２１（ａ）に示すように電線１０１が端子板２０２ａ及び鎖錠ばね２０３に対して真っ直ぐに正規の状態で挿入された場合には端子板２０２ａと電線１０１の接触面積が十分に確保されるが、同図（ｂ）に示すように電線１０１が端子板２０２ａ及び鎖錠ばね２０３に対して傾いて挿入された場合には端子板２０２ａと電線１０１の接触面積が減少してしまう虞があった。これに対して本実施形態の端子部４０では、従来の端子板２０２ａに相当する接触部４２と、従来の鎖錠ばね２０３に相当する押圧部４３及び鎖錠部４４とがばね性を有する金属板からなる端子板４１に一体に形成されているため、例え電線１０１が傾いて挿入されたとしても、接触部４２がばね性を持つために電線１０１の傾きに追従することが可能であり、同じくばね性を有する押圧部４３及び鎖錠部４４によって電線１０１が接触部４２の方へ押圧されることで電線１０１の挿入状態に関わらず端子板４１と電線１０１の接続状態を安定させることができる。
【００２１】
一方、端子板４１とともに端子部４０を構成する解除釦６０が各収納室１３に配設される。この解除釦６０は合成樹脂成型品からなり、図１及び図９に示すように棒状の操作部６１の両端部からそれぞれ同一の方向に一対の連結部６４，６４が突出し、各連結部６４，６４の先端部分が架橋部６６により連結されて全体が略ロ字型に形成されている。また、架橋部６６の両端部からは連結部６４，６４と反対方向に一対の押動部６３，６３が突設され、架橋部６６の中央部からは押動部６３と略平行に腕部６２が突設されるとともに腕部６２の突出方向に略直交し且つ連結部６４と反対の方向へ支持部６５が突設されている。さらに腕部６２の先端には、後述するようにボディ１０に設けられた軸受け台１４に摺動自在に載置される円柱状の軸部６２ａが、その軸方向が架橋部６６の長手方向と平行となるように設けられている。そして、後述するようにカバー２０に設けられた固定リブ２８に支持部６５が当接することで軸受け台１４に載置された状態で回動自在に軸部６２ａが支持される。ここで、支持部６５における軸部６２ａと反対側の側面６５ａは円柱面に形成されており、固定リブ２８の先端には支持部６５の側面６５ａに摺接する曲面（円柱面）２８ａが形成されている。
【００２２】
一方、ボディ１０の長手方向の両側面には各収納室１３と通じる縦溝１５が各一対ずつ並設されており、解除釦６０は縦溝１５を通して連結部６４並びに操作部６１がボディ１０の外に露出され、一対の押動部６３，６３が端子板４１の鎖錠片４４における受け部４４ｃと対向し（図１２参照）、収納室１３内に設けられた軸受け台１４に軸部６２ａを載置するとともに支持部６５をカバー２０の固定リブ２８の先端に当接することにより、軸部６２ａを支点に器体１の前後方向（図１における上下方向）に沿って回動自在に各収納室１３，１３に配設される（図３参照）。ここで本実施形態においては、図１３に示すように腕部６２の後面側に軸受け台１４を逃がすための逃がし部６２ｂが凹設されている。
【００２３】
而して、端子部４０に接続された電線を引き抜くには、縦溝１５，１５を通して器体１の側面に露出している操作部６１を指で押し上げるように操作すればよい。すなわち、図１４（ｂ）に示すように操作部６１を前方（図１４における上方）へ押し上げるように操作すれば、軸部６２ａを支点にして解除釦６０が回動し、押動部６３，６３でそれぞれ対向する端子板４１の受け部４４ｃを押圧することにより、電線に食い込んでいる鎖錠部４４ａを電線から離すように鎖錠片４４を撓ませて電線の引き抜きが可能となる。
【００２４】
従来の速結端子装置では工具を使って解除釦を操作しながら電線を引き抜かなければならないため、一方の手で配線器具の器体を持ち、他方の手に持った工具を操作孔に挿入して解除釦を操作した状態では両手が塞がれてしまうために電線を電線挿入孔から引き抜くことが困難であった。これに対して本実施形態では、器体１を持った手の指（例えば、親指）で器体１の側面に露出する解除釦６０の操作部６１を操作して解除釦６０を回動させると電線に食い込んでいる鎖錠部４４ａを電線から離すことができ、一方の手で器体１の保持と解除釦６０の操作を同時に行い、他方の手で電線を引き抜くことができるため、従来の速結端子装置に比較して電線の取り外し作業が容易に行える。なお、本実施形態では接触片４３の幅寸法を鎖錠片４４の幅寸法よりも狭く（およそ半分に）設定し、解除釦６０が鎖錠片４４を撓ませるために必要なスペースを広くとって解除釦６０の操作性を向上させている。
【００２５】
ところで、従来技術で説明したように鎖錠片４４の長さが短いほど大きな反力が得られて電線１０１の保持力が大きくなるが、解除釦６０により鎖錠片４４を撓ませる力が大きくなり、反対に鎖錠片４４の長さが長いほど解除釦６０により鎖錠片４４を撓ませる力が小さくて済むが、鎖錠片４４の反力が小さくなって電線１０１の保持力が小さくなってしまい、電線の保持力の向上と解除操作時の操作力の低減を両立することが困難である。これに対して本実施形態では、解除釦６０によって押し動かされる受け部４４ｃを、鎖錠片４４の先端から鎖錠部４４ａよりも先方へ突出させて設けているから、鎖錠部４４ａによる電線１０１の保持力を維持したまま解除釦６０により鎖錠片４４を撓ませるのに必要な操作力が低減でき、電線１０１の保持力の向上と解除操作時の操作力の低減を両立することが可能である。但し、先端が接触片４３よりも外側に突出しない寸法に受け部４４ｃを形成することが望ましい。つまり、受け部４４ｃの先端が接触片４３よりも外側に突出していると、端子板４１の製造時や組立時等において受け部４４ｃに対して不用意に外力が加わって変形等の不具合が発生する虞があるが、受け部４４ｃの先端を上記寸法に形成することで、このような不具合の発生を防ぐことができる。
【００２６】
ところで、カバー２０の前壁には一つのプラグに設けた一対の栓刃を挿入することができる差込部２４が１口分形成されている。差込部２４は各刃受３１の刃受ばね３２，３３に対応する部位にそれぞれ開口する挿入口２５よりなり、各挿入口２５は平板状の平型栓刃が差し込まれる平型栓刃挿入口２５ａと、丸ピン状のピン型栓刃が差し込まれるピン型栓刃挿入口２５ｂとを連通させた形状に形成されている。つまり、平型栓刃挿入口２５ａは矩形状であって、長手方向の中間部の一側縁に円状のピン型栓刃挿入口２５ｂが連通した形状になっている。また、平型栓刃挿入口２５ａの中心間の距離よりも、ピン型栓刃挿入口２５ｂの中心間の距離の方が広くなっている。平型栓刃挿入口２５ａに挿入される平型栓刃は刃受ばね３２の側面と刃受ばね３３との間で挟持され、ピン型栓刃挿入口２５ｂに挿入されるピン型栓刃は一対の刃受ばね３２の間で挟持される。
【００２７】
次に、ボディ１０とカバー２０を結合して器体１を組み立てる構造について説明する。本実施形態においては、ボディ１０とカバー２０との双方に設けた嵌合部６，７に組立部材５０を凹凸嵌合することでボディ１０とカバー２０とを結合して器体１を組み立てるようになっている。
【００２８】
ボディ１０の長手方向に対向する両側面には、図４に示すように一対の縦溝１５に挟まれた中央部に角柱状の嵌合部６が突設されている。一方、カバー２０の長手方向の両側面には、図５に示すように一対の嵌合部７がそれぞれ突設されている。ここで、カバー２０に突設されている嵌合部７は、図５（ｄ）に示すように四隅のうちの一つに切り欠き７ａが形成されている。
【００２９】
組立部材５０は弾性を有する合成樹脂成型品からなり、図６に示すようにカバー２０の嵌合部７，７と各々嵌合する一対の嵌合孔５１，５１が長手方向に並設された短冊状の主片５２と、ボディ１０の嵌合部６と嵌合する嵌合孔５３ａが設けられて主片５２の後端縁中央より後方へ突設された逆凸字状の凸片５３とを有し、器体１と対向する主片５２の背面側において嵌合孔５１，５１の隅と重なる両角部からは先端に係止爪５４ａを有する係止突片５４が背方へ突設されている。また、主片５２の表面における前方両端部には、埋込型の配線器具を造営面に埋込配設するための取付枠、又は配線器具の取付構造を有したフラッシプレート（以下、単に「プレート」という）が具備する係合孔と係合して器体１を取付枠又はプレート枠に取り付けるための一対の取付部（取付爪）５５が突設されている。
【００３０】
一方、カバー２０の長手方向の両側面には、嵌合部７の切り欠き７ａに連通する凹溝２７と、凹溝２７の奥側に設けられて組立部材５０の係止突片５４に設けた係止爪５４ａが係止する被係止部２６とが長手方向両端部近傍の背面側に形成されている（図５（ｃ）参照）。
【００３１】
而して、ボディ１０とカバー２０とを結合して器体１を組み立てるには、ボディ１０とカバー２０を開口面側で突き合わせた状態で係止突片５４を凹溝２７に挿入するように組立部材５０を器体１の長手方向に対向する両側面の方へ押しつければ、組立部材５０の嵌合孔５３ａ，５１にボディ１０及びカバー２０の各嵌合部６，７がそれぞれ嵌合してボディ１０とカバー２０とが結合されると同時に、係止突片５４の先端に設けた係止爪５４ａがカバー２０の被係止部２６に係止することによって、組立部材５０の嵌合部６，７からの脱落が防止できる。
【００３２】
（実施形態２）
図１５は本実施形態における端子板４１を示す斜視図である。この端子板４１は、略コ字形の主片４２と、主片４２の幅細の両端縁から後方へ垂下された一対の接触片４３と、主片４２の幅太の他端側における両側縁から後方へ垂下された略Ｊ字形の一対の鎖錠片４４とを有し、弾性を有する帯状の金属板を加工して接触片４３の先端部と鎖錠片４４の先端部がそれぞれ交差するように折り曲げて一体に形成される。すなわち、本実施形態における端子板４１は、実施形態１における２つの端子板４１（各端子板４１は鏡像の関係にある）を、鎖錠部４４ａ同士が隣り合うように互いの主片４２で連結した形状となっている。なお、端子板４１以外の構成は実施形態１とほぼ共通であるから図示並びに説明は省略する。
【００３３】
このように本実施形態では、複数の端子板４１，４１を一体に形成することで部品点数を削減してコストダウンと組立性の向上を図っている。
【００３４】
（実施形態３）
図１６は本実施形態における端子板４１を示す斜視図である。この端子板４１は、実施形態１における２つの端子板４１を、受け部４４ｃ同士が隣り合うように互いの主片４２で連結した形状となっており、略Ｔ字形の主片４２と、主片４２の幅細の両端縁から後方へ垂下された一対の接触片４３と、主片４２の幅太の他端側における両側縁から後方へ垂下された略Ｊ字形の一対の鎖錠片４４とを有し、弾性を有する帯状の金属板を加工して接触片４３の先端部と鎖錠片４４の先端部がそれぞれ交差するように折り曲げて一体に形成される。したがって、実施形態２と同様に複数の端子板４１，４１を一体に形成することで部品点数を削減してコストダウンと組立性の向上が図れるものである。なお、端子板４１以外の構成は実施形態１とほぼ共通であるから図示並びに説明は省略する。
【００３５】
また本実施形態においては、隣接する２つの受け部４４ｃには他方に向かって突片４４ｄが延設されている。このため受け部４４ｃを押し動かす方向に直交する方向（図１６における左右方向）の解除釦（図示せず）の幅寸法が小さくできるという利点がある。
【００３６】
（実施形態４）
図１７は本実施形態における端子板４１を示す斜視図である。この端子板４１は、実施形態３の端子板４１において、受け部４４ｃと鎖錠片４４との連結部位４４ｄが受け部４４ｃの他の部位よりも幅狭に形成されている点に特徴があり、他の構成は実施形態３及び実施形態１とほぼ共通であるから図示並びに説明は省略する。
【００３７】
而して、受け部４４ｃと鎖錠片４４との連結部位４４ｄを受け部４４ｃの他の部位よりも幅狭に形成したことにより、幅狭の連結部位４４ｄにおいて受け部４４ｃが撓み易くなり、解除釦６０の操作力をさらに低減することができる。
【００３８】
（実施形態５）
図１８は本実施形態における端子板４１を示す斜視図である。この端子板４１は、実施形態３の端子板４１において、受け部４４ｃの厚みが鎖錠片４４の厚みよりも小さく設定されている点に特徴があり、他の構成は実施形態３及び実施形態１とほぼ共通であるから図示並びに説明は省略する。
【００３９】
而して、受け部４４ｃ（あるいは受け部４４ｃと鎖錠部４４ａ）にたたき加工などを施すことで鎖錠片４４よりも厚みを薄くすれば、受け部４４ｃが撓み易くなることで解除釦６０の操作力をさらに低減することができる。
【００４０】
【発明の効果】
請求項１の発明は、配線器具の器体に貫設した電線挿入孔を通して器体に導入される電線に接触する端子板と、ばね力を利用して該端子板との間で前記電線を狭持するとともに鎖錠部が該電線に食い込んで抜け止めする接続手段と、該接続手段による抜け止め状態を解除する解除手段とを備え、前記接続手段は、弾性を有する金属板からなる鎖錠片と、該鎖錠片の先端に設けられる前記鎖錠部と、前記鎖錠片の先端に設けられて前記鎖錠部よりも先方へ突出する受け部とを有し、前記解除手段は、前記受け部を押し動かして前記鎖錠部が電線から離れる向きに前記鎖錠片を撓ませることを特徴とし、解除手段によって押し動かされる受け部を、鎖錠片の先端から鎖錠部よりも先方へ突出させて設けているから、鎖錠部による電線の保持力を維持したまま解除手段により鎖錠片を撓ませるのに必要な操作力が低減でき、電線の保持力の向上と解除操作時の操作力の低減を両立することが可能となる。
【００４１】
請求項２の発明は、請求項１の発明において、複数の前記端子板並びに前記接続手段が弾性を有する金属板により一体に形成されたことを特徴とし、部品点数の削減によるコストダウンと組立性の向上が図れる。
【００４２】
請求項３の発明は、請求項１又は２の発明において、前記接続手段は、前記鎖錠片との間で電線を狭持する接触片を有し、電線の挿入方向に直交する方向における前記鎖錠片の幅よりも前記接触片の幅が狭くされたことを特徴とし、解除手段が鎖錠片を撓ませるために必要なスペースを広くとることができて解除手段の操作性が向上する。
【００４３】
請求項４の発明は、請求項１又は２又は３の発明において、前記受け部は、先端が前記接触片よりも外側に突出しない寸法に形成されたことを特徴とし、受け部に対して不用意に外力が加わって変形等の不具合が発生するのを防ぐことができる。
【００４４】
請求項５の発明は、請求項２の発明において、前記複数の接続手段の各受け部が隣接して設けられるとともに他方の受け部に向かって突片が延設されたことを特徴とし、受け部を押し動かす方向に直交する方向の解除手段の寸法が小さくできる。
【００４５】
請求項６の発明は、請求項１の発明において、前記受け部と前記鎖錠片との連結部位が該受け部の他の部位よりも幅狭に形成されたことを特徴とし、幅狭の連結部位において受け部が撓み易くなることで解除手段の操作力をさらに低減することができる。
【００４６】
請求項７の発明は、請求項１の発明において、前記受け部の厚みが鎖錠片の厚みよりも小さく設定されたことを特徴とし、受け部が撓み易くなることで解除手段の操作力をさらに低減することができる。
【図面の簡単な説明】
【図１】実施形態１のコンセントを示す分解斜視図である。
【図２】同上を示し、（ａ）は正面図、（ｂ）は右側面図、（ｃ）は下面図、（ｄ）は背面図である。
【図３】同上の斜視図である。
【図４】同上におけるボディを示し、（ａ）は正面図、（ｂ）は下面図、（ｃ）は（ａ）のＡ−Ａ線断面矢視図、（ｄ）は背面図、（ｅ）は右側面図である。
【図５】同上におけるカバーを示し、（ａ）は正面図、（ｂ）は下面図、（ｃ）は右側面図、（ｄ）は背面図である。
【図６】同上における組立部材を示し、（ａ）は正面図、（ｂ）は上面図、（ｃ）は下面図、（ｄ）右側面図である。
【図７】同上における刃受を示し、（ａ）は正面図、（ｂ）は下面図、（ｃ）は右側面図である。
【図８】同上における端子板を示し、（ａ）は正面図、（ｂ）は下面図、（ｃ）は右側面図である。
【図９】同上における解除釦を示し、（ａ）は正面図、（ｂ）は（ａ）のＡ−Ａ線断面矢視図、（ｃ）は下面図、（ｄ）は右側面図である。
【図１０】同上の端子板に電線が接続された状態を示す要部断面図である。
【図１１】同上の端子板と解除釦との配置関係を示す斜視図である。
【図１２】同上における解除釦の斜視図である。
【図１３】同上における解除釦を後方から見た斜視図である。
【図１４】（ａ）（ｂ）は同上の解除釦の動作説明図である。
【図１５】実施形態２における端子板の斜視図である。
【図１６】実施形態３における端子板の斜視図である。
【図１７】実施形態４における端子板の斜視図である。
【図１８】実施形態５における端子板の斜視図である。
【図１９】従来例の要部を示す断面図である。
【図２０】同上における電線を引き抜く場合の操作を説明する説明図である。
【図２１】同上における電線と端子板との接続構成を説明する説明図である。
【符号の説明】
１  器体
１０  ボディ
２０  カバー
４０  端子部
４１  端子板
４４ａ  鎖錠部
４４ｃ  受け部
６０  解除釦
６１  操作部
６３  押動部
【図１】
2004319391.tif 000003
【図２】
2004319391.tif 000004
【図３】
2004319391.tif 000005
【図４】
2004319391.tif 000006
【図５】
2004319391.tif 000007
【図６】
2004319391.tif 000008
【図７】
2004319391.tif 000009
【図８】
2004319391.tif 000010
【図９】
2004319391.tif 000011
【図１０】
2004319391.tif 000012
【図１１】
2004319391.tif 000013
【図１２】
2004319391.tif 000014
【図１３】
2004319391.tif 000015
【図１４】
2004319391.tif 000016
【図１５】
2004319391.tif 000017
【図１６】
2004319391.tif 000018
【図１７】
2004319391.tif 000019
【図１８】
2004319391.tif 000020
【図１９】
2004319391.tif 000021
【図２０】
2004319391.tif 000022
【図２１】
2004319391.tif 000023